(57)【要約】【課題】眼鏡レンズを加工する作業者にとってわかりやすく取り扱いやすいように、数値入力により玉型形状を変形させることができる眼鏡フレームの玉型形状表示装置及びそれを備えたレンズ研削加工装置を提供すること。【解決手段】眼鏡フレームの玉型形状表示装置は、眼鏡フレームの玉型形状を入力する形状入力手段［フレーム形状測定装置（玉型形状測定装置）１］と、入力された玉型形状を表示する表示手段（液晶表示器８）とを有する。しかも、玉型形状表示装置は、玉型形状の少なくとも鼻当て側、耳掛け側の方向において数値入力により玉型変形させる玉型形状変形手段（『−＋』スイッチ７ｄ、演算制御回路４０等）を有する。【選択図】図４
2006243702.tif 000002
【特許請求の範囲】
【請求項１】
眼鏡フレームの玉型形状を入力する形状入力手段と、入力された玉型形状を表示する表示手段とを有する眼鏡フレームの玉型形状表示装置において、
玉型形状の少なくとも鼻当て側、耳掛け側において数値入力により玉型を変形させる玉型形状変形手段を有することを特徴とする眼鏡フレームの玉型形状表示装置。
【請求項２】
請求項１記載の眼鏡フレームの玉型形状表示装置において、
変形させる前の玉型形状と、変形させた後の玉型形状とを同一画面に表示する表示手段を備えたことを特徴とする眼鏡フレームの玉型形状表示装置。
【請求項３】
請求項１又は２に記載の眼鏡フレームの玉型形状表示装置において、
前記玉型形状変形手段は、眼鏡フレームの玉型形状の幾何学中心点を中心とした点対称な玉型形状の箇所を変形させるように構成したことを特徴とする眼鏡フレームの玉型形状
表示装置。
【請求項４】
請求項１乃至３に記載の眼鏡フレームの玉型形状表示装置において、
前記表示手段は、眼鏡フレームの左右両方の玉型形状の変形前の形状と変形後の形状を同一画面に表示することを特徴とする眼鏡フレームの玉型形状表示装置。
【請求項５】
請求項１乃至５に記載の眼鏡フレームの玉型形状表示装置を備えたことを特徴とするレンズ研削加工装置。
【発明の詳細な説明】
【技術分野】
【０００１】
本発明は、眼鏡フレームに枠入れする眼鏡レンズの玉型の形状を変形させレイアウトを変更させることができる眼鏡フレームの玉型形状表示装置及びそれを備えたレンズ研削加工装置に関するものである。
【背景技術】
【０００２】
一般に、眼鏡（メガネ）を作る場合に、顧客は眼鏡店等に出向いて眼鏡フレーム，眼鏡レンズの種類や材質を選択する一方、眼鏡店では顧客の左右眼の視力等を測定して眼鏡処方を作成する。そして、眼鏡店では、眼鏡加工のために選択された眼鏡フレーム，眼鏡レンズの種類や材質や眼鏡処方等の眼鏡情報を通信手段でメーカや加工センタ等に送信する。また、メーカや加工センタ等では、眼鏡情報に基づいて眼鏡レンズを研削加工して、研削加工した眼鏡レンズを眼鏡フレームに枠入れすることにより、眼鏡を完成させて、完成した眼鏡を発注した眼鏡店に送る。
【０００３】
ところで、メーカや加工センタ等においては、選択された眼鏡フレームの左右のレンズ枠（レンズフレーム）の玉型形状（フレーム形状）を測定して、この測定した玉型形状の玉型形状情報から加工データを求め、この加工データに基づいて眼鏡レンズを玉型形状に研削加工するようにしている（例えば、特許文献１参照）。
【０００４】
一方、眼鏡を作る場合、顧客にコンピュータのディスプレイの画面上で眼鏡フレームを選択してもらうと共に、デジタルカメラ等で撮影した顧客の顔画像をコンピュータに入力して、この入力された顔画像をディスプレイの画面上に表示させ、この表示させた顔画像に選択された眼鏡フレームのフレーム画像を合成して、顧客に合った眼鏡フレームか否かを確認してもらうシステムも考えられている。このシステムでは、眼鏡フレームの玉型形状を全体的に大きくしたり小さくしたりする変形や、眼鏡装用者の頬に掛かるリム部分を上に引き上げて玉型をシャープに見せる変形や、眼鏡装用者の眉に掛かるリム部分を丸くしたり平らにしたりする変形などが行われている（例えば、特許文献２参照）。
【特許文献１】特許２９８２９９１号公報
【特許文献２】特許３２５０１８４号公報
【発明の開示】
【発明が解決しようとする課題】
【０００５】
しかしながら、従来のシステムは、眼鏡装用者にとって分かりやすい変形状態を示す変形内容であっても、眼鏡レンズを加工する作業者にとってはどの程度変形させればよいのか分からず、初心者にとっては誤ってレンズ枠を変形させて加工してしまう虞がある。
【０００６】
そこで、本発明では、上記課題を解消するために、眼鏡レンズを加工する作業者にとってわかりやすく取り扱いやすいように、数値入力により玉型形状を変形させることができる眼鏡フレームの玉型形状表示装置及びそれを備えたレンズ研削加工装置を提供することを目的とする。
【課題を解決するための手段】
【０００７】
この目的を達成するため、請求項１の発明は、眼鏡フレームの玉型形状を入力する形状入力手段と、入力された玉型形状を表示する表示手段とを有する眼鏡フレームの玉型形状表示装置において、玉型形状の少なくとも鼻当て側、耳掛け側において数値入力により玉型を変形させる玉型形状変形手段を有することを特徴とする。
【０００８】
また、請求項２の発明は、請求項１記載の眼鏡フレームの玉型形状表示装置において、変形させる前の玉型形状と、変形させた後の玉型形状とを同一画面に表示する表示手段を備えたことを特徴とする。
【０００９】
請求項３の発明は、請求項１又は２に記載の眼鏡フレームの玉型形状表示装置において、前記玉型形状変形手段は、眼鏡フレームの玉型形状の幾何学中心点を中心とした点対称な玉型形状の箇所を変形させるように構成したことを特徴とする。
【００１０】
請求項４の発明は、請求項１乃至３に記載の眼鏡フレームの玉型形状表示装置において、前記表示手段は、眼鏡フレームの左右両方の玉型形状の変形前の形状と変形後の形状を同一画面に表示することを特徴とする。
【００１１】
請求項５の発明は、請求項１乃至５に記載の眼鏡フレームの玉型形状表示装置を備えたレンズ研削加工装置であることを特徴とする。
【発明の効果】
【００１２】
この構成によれば、眼鏡レンズを加工する作業者にとってわかりやすく取り扱いやすいように、数値入力により玉型形状を変形させることができる。また、初心者にとって誤ってレンズ枠を変形させてしまうことを未然に防ぐことができる。
【発明を実施するための最良の形態】
【００１３】
以下、この発明の実施の形態を図面に基づいて説明する。
［構成］
図１において、１は眼鏡フレームＦのレンズ枠形状やその型板或いは型板モデル等から玉型形状データであるレンズ形状情報（θｉ，ρｉ，Ｚｉ）又は（θｉ，ρｉ）を読み取るフレーム形状測定装置（玉型形状測定装置）、２はフレーム形状測定装置１から送信等によって入力された眼鏡フレームの玉型形状データに基づいて眼鏡レンズを研削加工するレンズ研削加工装置（玉摺機）である。尚、フレーム形状測定装置１には周知のものを用いることができるので、その詳細な構成やデータ測定方法等の説明は省略する。尚、フレーム形状（レンズ枠形状）には光軸方向の移動量データＺｉがあるが、型板やダミーレンズの測定によるレンズ形状情報には光軸方向の移動量データＺｉがないのでレンズ形状情報は（θｉ，ρｉ）となる。
【００１４】
＜レンズ研削加工装置２＞
このレンズ研削加工装置２は、図１に示すように、装置本体３の前面寄りに設けられた加工室４と、この加工室４を開閉するカバー５を有する。また、この加工室４内には図２に示したように加工用主要部品が配置されている。また、加工室４の外側には、加工用主要部品の一部を保持するキャリッジ（図示せず）と、加工用主要部品及びキャリッジの駆動系（モータ等）が配置されている。このキャリッジは、前後に延びる左右一対のアーム部とアーム部の後端部を連設する連設部から、平面視形状がコの字状に形成されている。また、キャリッジは、左右動可能に且つ連設部の後縁部を中心にアーム部が上下動可能に
設けられている。
【００１５】
なお、図２中、４ａ、４ｂは加工室４の側壁、４ｃ、４ｃは側壁４ａ、４ｂに形成された円弧状のスリットである。そして、この側壁４ａ、４ｂの外側にキャリッジの一対のアーム部が配設されている。このようなアーム部を有するキャリッジには周知の構成を採用できるので、その詳細な説明及び図示は省略する。
【００１６】
また、レンズ研削加工装置２は、その駆動系の制御操作やデータ設定操作を行う際に用いる第１及び第２の操作パネル６、７と、操作パネル６、７による操作状態等その他を表示する表示装置（表示手段）としての液晶表示器８とを備えている。
【００１７】
（加工用主要部品）
上述の加工室４内に配置された加工用主要部品としては、図２に示すように、装置本体３の左右に延びると共にスリット４ｃ、４ｃを貫通する左右一対のレンズ回転軸９、１０がある。尚、スリット４ｃ、４ｃはレンズ回転軸９、１０と一体に移動する図示しないカバーで閉成されている。
【００１８】
このレンズ回転軸９、１０は、互いに直列に配置されて同一軸線を有すると共に、上述した一対のキャリッジのアーム部にそれぞれ回転可能に保持されている。このレンズ回転軸１０は、レンズ回転軸９に対して進退調整可能に設けられている。そして、レンズ回転軸９、１０間に眼鏡レンズＭＬを配設してレンズ回転軸１０をレンズ回転軸９側に進出させることにより、眼鏡レンズＭＬをレンズ回転軸９、１０間で保持（挟持）できる。また、これとは逆に操作することで、レンズ回転軸９、１０間から眼鏡レンズＭＬを取り外すことができる。
【００１９】
また、加工用主要部品としては、眼鏡レンズＭＬを研削加工するための研削砥石１１と、研削砥石１１を回転させる砥石軸１２と、眼鏡レンズＭＬの周縁部に面取加工を施す面取砥石１３、１４と、眼鏡レンズＭＬのコバ面に溝加工を施す溝掘カッター（溝掘砥石）１７がある。
【００２０】
更に、加工用主要部品としては、面取砥石１３、１４、溝掘カッター（溝掘砥石）１７を回転させる面取軸（溝掘軸）１５と、面取軸１５を駆動させると共に旋回させる旋回アーム１６と、面取砥石１４に隣接して面取軸１５に設けられた溝掘カッター１７と、面取砥石１３、１４及び溝掘カッター１７の下方を覆う円弧状カバー１８がある。
【００２１】
また、レンズ回転軸９、１０としては、円弧状カバー１８の内側に設けられて研削砥石１１や面取砥石１３、１４あるいは溝掘カッター１７の砥石面に研削水を掛けるためのホース（図示せず）と、眼鏡レンズＭＬのコバ厚Ｗｉを測定するコバ厚測定部材１９がある。
【００２２】
カバー５は、無色透明又は有色透明（例えば、紺等の半透明）の一枚のガラス製若しくは樹脂製のパネルから構成され、装置本体３の前後にスライドする。
【００２３】
尚、加工室４には、眼鏡レンズＭＬの後方に位置すると共に丸みを帯びた傾斜面４ｄが形成されており、研削屑を流し易い構造になっている。
【００２４】
（加工用主要部品の駆動系）
加工用主要部品の駆動系としては、上述のキャリッジ（図示せず）と、このキャリッジをパルスモータ等の駆動モータを用いて上下回転させる上下動手段（図２では図示せず）と、キャリッジを左右動させるパルスモータ等の駆動モータ（図２では図示せず）と、レンズ回転軸９、１０を回転駆動させるパルスモータ等の駆動モータ（図２では図示せず）と、キャリッジの上下回動に伴いレンズ回転軸９、１０間に保持された眼鏡レンズＭＬを研削加工する際に研削砥石１１を回転させる駆動モータ（図２では図示せず）等を有する。
【００２５】
このような駆動系のキャリッジを駆動させるための駆動モータや構造には周知の構成が採用できるので、その詳細な説明は省略する。また、研削砥石１１は、粗研削砥石、ヤゲン砥石、仕上砥石等を有する。
【００２６】
そして、上述した駆動系は、レンズ形状情報（θｉ，ρｉ）に基づいて、レンズ回転軸９、１０を角度θｉ（ｉ＝０，１，２，３，…，ｎ）毎に図示しない駆動モータで回動させると共に、キャリッジ（図示しない）を図示しない駆動モータで上下回動させることにより、眼鏡レンズＭＬの周縁を回転する研削砥石１１の粗研削砥石１１ａで研削加工するようになっている。この際、駆動系は、レンズ回転軸９、１０と砥石回転軸１２との軸間距離が角度θｉ毎に砥石半径＋動径ρｉとなるように、キャリッジの前端部を角度θｉ毎に上下回動させてレンズ回転軸９、１０及び眼鏡レンズＭＬを上下動させるようになっている。これにより、眼鏡レンズＭＬが研削砥石１１でレンズ形状情報（θｉ，ρｉ）に粗研削加工されるようになっている。
【００２７】
また、駆動系は、上述と同様に各駆動モータをレンズ形状情報（θｉ，ρｉ）に基づいて作動制御して、レンズ形状（玉型形状）ＬＬ、ＬＲに粗研削された眼鏡レンズＭＬの周縁のコバ端部に研削砥石１１のヤゲン砥石１１ｂによりヤゲン加工できるようになっている。この際、駆動系は、予め設定されたヤゲン位置データに基づいてキャリッジを左右に駆動する駆動モータを制御することにより、玉型形状に粗加工された眼鏡レンズＭＬのコバ端にヤゲン加工を施すようになっている。尚、このような眼鏡レンズＭＬの研削加工は周知の構造を採用できるので、詳細な説明は省略する。
（コバ厚測定装置）
コバ厚測定装置（コバ厚測定手段）はコバ厚測定部材１９を有する。このコバ厚測定部材１９は、互いに離間状態で対向する一対のフィーラ１９ａ、１９ｂを備える。このフィーラ１９ａ、１９ｂは作用右方向に延びる測定軸１９ｃに一体に設けられている。この測定軸１９ｃは、加工室４の側壁４ｂを左右に貫通していると共に、左右に移動可能となっている。また、測定軸１９ｃは、フィーラ１９ａ、１９ｂが加工室４の後縁部の略中央に位置するように、図示しないスプリングで保持されている。従って、フィーラ１９ａ、１９ｂ及び測定軸１９ｃは、左右方向への移動力を解除すると、加工室４の後縁部の略中央に戻されるようになっている。
【００２８】
しかも、コバ厚測定装置（コバ厚測定手段）は、測定軸１９ｃに連動してフィーラ１９ａ、１９ｂの左右方向への移動位置（又は移動量）を検出して測定する測定部（図示せず）を有する。この測定部は測定室４の外側に設けられている。
【００２９】
より具体的には、フィーラ１９ａ、１９ｂ及び測定軸１９ｃの左右方向への移動位置又は移動量は測定部（図示せず）に内蔵された図示しない読取センサ（位置検出手段又は移動量検出手段）により読取られるようになっている。
【００３０】
また、コバ厚測定装置（コバ厚測定手段）は、測定軸１９ｃを軸線回りに回動させる図示しないパルスモータ等の駆動手段を有する。この駆動手段は、測定軸１９ｃを回動させてフィーラ１９ａ、１９ｂを約９０度跳ね上げた位置（待機状態）と前側に水平に倒れた使用位置（使用状態）とに回動するようになっている。この回動は、後述する制御回路により行われる。
【００３１】
尚、レンズ形状情報（θｉ，ρｉ）に基づく眼鏡レンズＭＬのコバ厚Ｗｉの測定時には、レンズ回転軸９、１０に眼鏡レンズＭＬを保持させると共に、フィーラ１９ａ、１９ｂを前側に水平に倒した状態にする。
【００３２】
この状態で、レンズ回転軸９、１０を駆動モータによりキャリッジと一体に上下動及び左右動させることにより、フィーラ１９ａの先端を眼鏡レンズＭＬの前側屈折面に当接させ、又はフィーラ１９ｂの先端を後側屈折面に当接させることができるようになっている。
【００３３】
更に、フィーラ１９ａの先端を眼鏡レンズＭＬの前側屈折面に当接させた状態で、レンズ回転軸９、１０をレンズ形状情報（θｉ，ρｉ）に基づいて角度θｉ毎に回動させると共に、レンズ回転軸９、１０と研削砥石１１（又は砥石回転軸１２）との軸間距離が角度θｉ毎にＸｉ（研削砥石１１の半径＋動径ρｉ）となるように、キャリッジを上下動させることにより、フィーラ１９ａの先端を眼鏡レンズＭＬの前側屈折面の動径ρｉの位置に接触移動させることができるようになっている。同様に、フィーラ１９ｂの先端を眼鏡レンズＭＬの後側屈折面に当接させた状態で、レンズ回転軸９、１０をレンズ形状情報（θｉ，ρｉ）に基づいて角度θｉ毎に回動させると共に、レンズ回転軸９、１０と研削砥石１１（又は砥石回転軸１２）との軸間距離が角度θｉ毎にＸｉ（研削砥石１１の半径＋動
径ρｉ）となるように、キャリッジを上下動させることにより、フィーラ１９ｂの先端を眼鏡レンズＭＬの前側屈折面の動径ρｉの位置に接触移動させることができるようになっている。このようにフィーラ１９ａ、１９ｂが眼鏡レンズＭＬに接触した状態でレンズ回転軸９、１０をレンズ形状情報（θｉ，ρｉ）に基づいて回動させると、フィーラ１９ａ、１９ｂが眼鏡レンズＭＬの屈折面の湾曲に従って左右方向に移動させられる。
【００３４】
従って、眼鏡レンズＭＬのコバ厚Ｗｉを求めるには、フィーラ１９ａを用いてレンズ形状情報（θｉ，ρｉ）における眼鏡レンズＭＬの前側屈折面の左右方向（光軸方向＝レンズ回転軸９、１０の軸線の延びる方向）の移動量（フィーラ１９ａの左右方向への移動量）を測定部の読取センサ（図示せず）で求める。次に、フィーラ１９ｂを用いてレンズ形状情報（θｉ，ρｉ）における眼鏡レンズＭＬの前側屈折面の左右方向（光軸方向＝レンズ回転軸９、１０の軸線の延びる方向）の移動量（フィーラ１９ｂの左右方向への移動量）を測定部の読取センサ（図示せず）で求める。
【００３５】
ここで、フィーラ１９ａ、１９ｂが初期位置にある場合の、フィーラ１９ａ、１９ｂ間の中央位置からフィーラ１９ａの先端までの距離をｘａとし、フィーラ１９ａ、１９ｂ間の中央位置からフィーラ１９ｂの先端までの距離を−ｘａとし、フィーラ１９ａの初期位置からの左方向及び右方向への移動量をそれぞれｆａ及び−ｆａとし、フィーラ１９ｂの初期位置からの左方向及び右方向への移動量をｆｂ及び−ｆｂとする。この条件において、フィーラ１９ａ、１９ｂ間の中央位置からフィーラ１９ａの先端の左右方向への移動位置Ｆａはｘａ＋ｆａ又はｘａ−ｆａとなり、フィーラ１９ａ、１９ｂ間の中央位置からフィーラ１９ｂの先端の左右方向への移動位置Ｆｂは−ｘａ＋ｆｂ又は−ｘａ−ｆｂとなる。
【００３６】
従って、このような移動位置Ｆａからｘａを差し引くことによりフィーラ１９ａの移動量ｆａがフィーラ１９ａ、１９ｂ間の中央位置からの左右方向への移動位置Ｆａ’として求められ、移動位置Ｆｂからｘａを差し引くことによりフィーラ１９ｂの移動量ｆｂがフィーラ１９ａ、１９ｂ間の中央位置からの左右方向への移動位置Ｆｂ’として求められる。そして、この求めた移動位置Ｆａ’、Ｆｂ’の差を求めることにより、眼鏡レンズＭＬのレンズ形状情報（θｉ，ρｉ）に対応する位置のコバ厚Ｗｉを求めることができる。
【００３７】
（操作パネル６）
操作パネル６は、図３（Ａ）に示すように、眼鏡レンズをレンズ回転軸９、１０によりクランプするための『クランプ』スイッチ６ａと、眼鏡レンズの右眼用・左眼用の加工の指定や表示の切換え等を行う『左』スイッチ６ｂ、『右』スイッチ６ｃと、砥石を左右方向に移動させる『砥石移動』スイッチ６ｄ、６ｅと、眼鏡レンズの仕上加工が不十分である場合や試し摺りする場合の再仕上又は試し摺り加工するための『再仕上／試』スイッチ６ｆと、レンズ回転モード用の『レンズ回転』スイッチ６ｇと、ストップモード用の『ストップ』スイッチ６ｈとを備えている。
【００３８】
（操作パネル７）
操作パネル７は、図３（Ｂ）に示すように、液晶表示器８の表示状態を切り換える『画面』スイッチ７ａと、液晶表示器８に表示された加工に関する設定等を記憶する『メモリー』スイッチ７ｂと、レンズ形状情報（θｉ，ρｉ）を取り込むための『データ要求』スイッチ７ｃと、数値補正等に使用されるシーソー式の『−＋』スイッチ７ｄ（『−』スイッチと『＋』スイッチとを別々に設けても良い）と、カーソル式ポインタ移動用の『▽』スイッチ７ｅとを液晶表示器８の側方には配置している。また、ファンクションキーＦ１〜Ｆ６が液晶表示器８の下方に配列されている。
【００３９】
このファンクションキーＦ１〜Ｆ６は、眼鏡レンズの加工に関する設定時に使用されるほか、加工工程で液晶表示器８に表示されたメッセージに対する応答・選択用として用いられる。
【００４０】
（液晶表示器８）
液晶表示器８の上部には、『レイアウト』タブＴＢ１、『加工中』タブＴＢ２、『加工済』タブＴＢ３、『メニュー』タブＴＢ４が表示されている。そして、この『レイアウト』タブＴＢ１、『加工中』タブＴＢ２、『加工済』タブＴＢ３、『メニュー』タブＴＢ４を選択することにより、液晶表示器８の表示が切り替えられるようになっている。
【００４１】
また、液晶表示器８の下縁部には、ファンクションキーＦ１〜Ｆ６に対応したファンクション表示器Ｈ１〜Ｈ６が設けられている。このファンクション表示部Ｈ１〜Ｈ６は、必要に応じたものが適宜表示される。更に、ファンクション表示部Ｈ１〜Ｈ６が非表示状態の時には、ファンクションキーＦ１〜Ｆ６の機能に対応したものとは異なった図柄や数値、或いは、状態等を液晶表示器８の下縁部に表示することができる。
【００４２】
『レイアウト』タブＴＢ１、『加工中』タブＴＢ２、『加工済』タブＴＢ３を選択した状態の時には、アイコン表示エリアＥ１、メッセージ表示エリアＥ２、数値表示エリアＥ３、状態表示エリアＥ４に区画した状態で表示される。また、『メニュー』タブＴＢ４を選択した状態の時には、全体的に一つのメニュー表示エリアとして表示しても良いし、独自の区画表示エリアとしても良い。
【００４３】
アイコン表示エリアＥ１に表示されるアイコンは、玉型形状データであるレンズ形状情報（θｉ，ρｉ）に基づいて眼鏡レンズのコバ厚形状を測定している状態、眼鏡レンズのコバ端面に形成されるヤゲン形状をシミュレーションしている状態、コバ端面を粗加工する状態、コバ端面を仕上加工する状態、コバ端面を鏡面加工する状態、コバ端面を溝掘り加工する状態、コバ端面を溝掘り・面取加工する状態、コバ端面を溝掘り・面取・鏡面加工する状態、コバ端面をヤゲン加工する状態、コバ端面をヤゲン・面取加工する状態、コバ端面をヤゲン・面取・鏡面加工する状態、眼鏡レンズの研削加工の終了、といったように各作業に対応して並設されている。
【００４４】
また、各アイコンの上方には、その一連の作業の進行状況をオペレータが識別できるように、１対１で対応すると共に一連の作業の進行状況に応じて点灯表示していく複数カーソルインジケータが、右眼レンズ進行状況表示用と左眼レンズ進行状況表示用とで上下２段にして『加工中』タブＴＢ２に設けられている。
【００４５】
メッセージ表示エリアＥ２には、各種エラーメッセージや警告メッセージなどが状態に応じて表示される。尚、装置内部品等の破損や被加工レンズの破損等の虞がある場合の警告メッセージなどの場合には、オペレータが認識し易いようにメッセージ表示エリアＥ２以外のエリアにはみ出して表示上で重畳させることも可能である。
【００４６】
数値表示エリアＥ３には、レイアウトデータの入力時に、眼鏡フレームの左右レンズ枠の幾何学中心間距離（ＦＰＤ値）、眼鏡装用者の眼の瞳孔間距離（ＰＤ値）、ＦＰＤ値とＰＤ値との差である寄せ量の鉛直方向成分ＵＰ値（又はＨｌｐ値）、加工サイズ調整の各項目等が表示される。また、初期設定時には、上述したＦＰＤ、ＰＤ、ＵＰ、サイズの他に加工レンズの吸着中心が表示される。さらに、モニターデータ入力時には、眼鏡レンズの二次加工的な面取加工に関わる寸法関係の数値が表示される。
【００４７】
状態表示エリアＥ４には、右眼用及び左眼用の眼鏡レンズのレイアウト画像や眼鏡レンズの最大、最小、最大及び最小以外の中間（任意）コバ周縁に形成されるヤゲン形状、コバ周縁を側面から見たレンズ側面形状等や、現実の加工状態に即した模式図等が表示される。
【００４８】
（ファンクションキー）
このファンクションキーＦ１〜Ｆ６は、眼鏡レンズの加工に関する設定時に使用されるのか、加工工程で液晶表示器８に表示されたメッセージに対する応答・選択用として用いられる。
【００４９】
各ファンクションキーＦ１〜Ｆ６は、加工に関する設定時（レイアウト画面）においては次の様に用いられる。即ち、ファンクションキーＦ１はレンズタイプ入力用、ファンクションキーＦ２はレンズ素材入力用、ファンクションキーＦ３はフレーム種類入力用、ファンクションキーＦ４は面取加工種類入力用、ファンクションキーＦ５は鏡面加工入力用、ファンクションキーＦ６は加工コース入力用として用いられる。
【００５０】
ファンクションキーＦ１で入力されるレンズタイプとしては、『単焦点』、『眼科処方』、『累進』、『バイフォーカル』、『キャタラクト』、『ツボクリ』、『８カーブ』等がある。尚、『キャタラクト』とは、眼鏡業界では一般にプラスレンズで屈折度数が大きいものをいい、『ツボクリ』とは、マイナスレンズで屈折度数が大きいものをいい、『８カーブ』とは、レンズ屈折面カーブが８カーブで出来ているものをいう。
【００５１】
ファンクションキーＦ２で入力される被加工レンズの素材としては、プラスチック（以下、『プラ』と略する。）、『ハイインデックス』、『ガラス』、ポリカーボネイト（以下、『ポリカ』と略する。）、『アクリル』等がある。
【００５２】
ファンクションキーＦ３で入力される眼鏡フレームＦの種類としては、『メタル』、『セル』、『オプチル』、『平』、『溝掘り（細）』、『溝掘り（中）』、『溝掘り（太）』等がある。
【００５３】
ファンクションキーＦ４で入力される面取り加工種類としては、図７，図８に示した『無し』、『小（前後）』、『中（前後）』、『大（前後）』、『特殊（前後）』、『小（後）』、『中（後）』、『大（後）』、『特殊（後）』等がある。
【００５４】
なお、この面取位置を示すポップアップは、『無し』、『小（前後）』、『特殊耳（前後）』、『特殊鼻（前後）』、『特殊（前後）』、『小（前後）』、『特殊耳（前後）』、『特殊鼻（前後）』、『特殊（後）』等でもよい。
【００５５】
ファンクションキーＦ５で入力される鏡面加工としては、『なし』、『あり』、『面取部鏡面』等がある。
【００５６】
ファンクションキーＦ６で入力される加工コースとしては、『オート』、『試し』、『モニター』、『枠替え』或いは『内トレース』等がある。
【００５７】
尚、上述したファンクションキーＦ１〜Ｆ６のモードや種別或いは順序は特に限定されるものではない。また、後述する各タブＴＢ１〜ＴＢ４の選択として、『レイアウト』、『加工中』、『加工済』、『メニュー』等を選択するためのファンクションキーを設けるなど、キー数に限定されるものではない。
【００５８】
そして、このようなファンクションキーＦ１ないしＦ６に対応するファンクション表示部Ｈ１〜Ｈ６の上には、レンズタイプ、レンズ、フレーム、面取、鏡面及びコース等がそれぞれ表示される。しかもファンクション表示部Ｈ１〜Ｈ６には、レンズタイプ、レンズ、フレーム、面取、鏡面及びコース等に対応する内容、即ちファンクションキーＦ１〜Ｆ６により選択するための上述した種類や加工内容等が表示される。
【００５９】
尚、以下、レイアウト時の液晶表示器８の表示状態としての、システム起動直後・データ要求直後・レイアウト設定終了・各コース選択等、或いは、加工時の液晶表示器８の表示状態としての、コバ厚確認・右眼レンズ加工中及び終了・左眼レンズ加工中等、更に、加工済み後の液晶表示器８の表示状態としての確認・データ保存、研削加工中におけるエラー・アイコンとカーソル・溝掘り加工及び面取加工・試し摺り・加工追加再仕上げ等の表示や操作等は、特願２０００−２８７０４０号又は特願２０００−２９０８６４号と同様のものとすることができる。
［制御回路］
レンズ研削加工装置２は、図４に示すように、演算制御回路４０を有する。ＣＰＵを有する演算制御回路４０には、操作パネル６，、記憶手段としてのＲＯＭ４１、記憶手段としてのデータメモリ４２、ＲＡＭ４３が接続されていると共に、補正値メモリ４４が接続されている。また、演算制御回路４０には、表示用ドライバ４５を介して液晶表示器８が接続され、パルスモータドライバ４６を介して駆動系の各種駆動モータ（パルスモータ）４７ａ…４７ｎが接続されていると共に、通信ポート４８を介して図１のフレーム形状測定装置１が接続されている。
【００６０】
尚、例えば、上述したキャリッジを上下動させるパルスモータ等の駆動モータ４７ａ、キャリッジを左右動させるパルスモータ等の駆動モータを４７ｂ、レンズ回転軸９、１０を回転駆動させるパルスモータ等の駆動モータを４７ｃ、研削砥石１１を回転させる駆動モータを４７ｄとし、旋回アーム１６を上下回動させるパルスモータ等の駆動モータを４７ｅ、研削砥石１１を回転させる駆動モータを４７ｆとする。
【００６１】
この場合、駆動モータ４７ａを正転又は逆転させることにより図示しないキャリッジを上下動させることができ、駆動モータ４７ｂを正転又は逆転させることにより、キャリッジを左右動させることができる。また、駆動モータ４７ｃを正転又は逆転させることにより、レンズ回転軸９、１０を正転又は逆転させることができる。更に、駆動モータ４７ｄを作動制御することにより研削砥石１１を回転駆動できる。また、駆動モータ４７ｅを正転又は逆転させることにより、旋回アーム１６を上方又は下方に旋回駆動させることができる。更に、駆動モータ４７ｆを作動制御することにより、面取軸（回転軸）１５を回転駆動させることができる。このような駆動系の各駆動モータ４７ａ〜４７ｆの駆動は演算制御回路４０により行われる。
【００６２】
演算制御回路４０は、加工制御開始後に、フレーム形状測定装置１からのデータ読み込みや、データメモリ４２の記憶領域ｍ１〜ｍ８に記憶されたデータの読み込みがある場合には、図５に示すように、時分割による加工制御とデータの読み込みやレイアウト設定の制御を行う。
【００６３】
即ち、時間ｔ１,ｔ２間の期間をＴ１、時間ｔ２,ｔ３間の期間をＴ２、時間ｔ３,ｔ４間の期間をＴ３、・・・、時間ｔｎ−１,ｔｎ間の期間をＴｎ−１とすると、期間Ｔ１,Ｔ３・・・Ｔｎ−１の間で加工制御が行われ、データの読み込みやレイアウト設定の制御を期間Ｔ２,Ｔ４・・・Ｔｎの間に行う。従って、被加工レンズの研削加工中に、次の複数の玉型形状データの読み込み記憶や、データの読み出しとレイアウト設定（調整）等を行うことができ、データ処理の作業効率を格段に向上させることができる。
【００６４】
ＲＯＭ４１にはレンズ研削加工装置２の動作制御のための種々のプログラム等が記憶されている。データメモリ４２には複数のデータ記憶領域が設けられている。
【００６５】
ＲＡＭ４３は、加工中のデータを記憶する加工データ記憶領域４３ａ、新たなデータを記憶する新データ記憶領域４３ｂ、フレームデータや加工済みデータ等を記憶するデータ記憶領域４３ｃが設けられている。
【００６６】
尚、データメモリ４２には、読み書き可能なＦＥＥＰＲＯＭ（フラッシュＥＥＲＯＭ）を用いることもできるし、メインの電源がオフされても内容が消えないようにしたバックアップ電源使用のＲＡＭを用いることもできる。
［作用］
次に、この様な構成の演算制御回路４０を有するレンズ研削加工装置の作用を説明する。
【００６７】
スタート待機状態からメイン電源がオンされると、演算制御回路４０は加工操作開始の状態となる。そして、演算制御回路４０は、フレーム形状測定装置（フレームリーダー）１からのデータ読み込みのために待機する。
【００６８】
即ち、演算制御回路４０は、操作パネル７の『データ要求』スイッチ７ｃが押されてデータ要求があると、フレーム形状測定装置１からのレンズ形状情報（θｉ，ρｉ，Ｚｉ）又はレンズ形状情報（θｉ，ρｉ）のデータをＲＡＭ４３のデータ読み込み領域４３ｂに読み込む。この読み込まれたデータは、データメモリ４２の記憶領域ｍ１〜ｍ８のいずれかに記憶（記録）されるようにしてもよい。
【００６９】
そして、演算制御回路４０は、レンズ形状情報（θｉ，ρｉ，Ｚｉ）又は（θｉ，ρｉ）のデータが読み込まれると、図６に示したレイアウト設定の為の表示内容を液晶表示器８に表示させる。
（ｉ）液晶表示器８のレイアウト表示
レイアウト設定時には、図６に示したような通常の面取加工の内容が液晶表示器８に演算制御回路４０により表示される。即ち、液晶表示器８の表示エリアＥ２には、「レンズ：プラ」、「コース：オート」が表示されると共に、ヤゲン及び面取加工のための表示２０がされる。また、表示エリアＥ３には、フレーム幾何学中心間距離ＦＰＤ、眼鏡装用者の瞳孔間距離ＰＤ、寄せ量ＵＰ、サイズ「ＳＩＺＥ」及びその数値が表示される。図６では、規定値（標準値）としてＦＰＤが７０．０、ＰＤが６４．０、ＵＰが＋２．０、ＳＩＺＥが＋０．００となっている。また、表示エリアＥ３には、「ＳＩＺＥ」の下方に位置させて「吸着位置：光学中心」の表示がされている。
【００７０】
更に、表示エリアＥ４の左側には右のレンズ形状ＬＲ及びレンズ吸着盤Ｒｓが重ねて表示され、表示エリアＥ４の右側には左のレンズ形状ＬＬ及びレンズ吸着盤Ｌｓが重ねて表示される。この際、レンズ形状ＬＲの光学中心ＯＲとレンズ吸着盤Ｒｓの中心が一致させられ、レンズ形状ＬＬの光学中心ＯＬとレンズ吸着盤Ｌｓの中心が一致させられる。
【００７１】
また、ファンクション表示部Ｈ１〜Ｈ６の上には、レンズタイプ、レンズ、フレーム、面取、鏡面及びコース等がそれぞれ表示される。更に、ファンクション表示部Ｈ１には例えば「単焦点」が表示され、ファンクション表示部Ｈ２には例えば「プラ」が表示され、ファンクション表示部Ｈ３には例えば「メタル」が表示され、ファンクション表示部Ｈ４には例えば「小（前後）」が表示され、ファンクション表示部Ｈ５には例えば「はい」が表示され、ファンクション表示部Ｈ６には例えば「オート」が表示される。
【００７２】
そして、ファンクション表示部Ｈ４に対応するファンクションキーＦ４を押すと、図７，図８に示したようなポップアップメニュー２１が表示される。このポップアップメニュー２１には、「無し、小（前後）、中（前後）、大（前後）、特殊（前後）、小（後）、中（後）、大（後）、特殊（後）」等の面取位置の選択内容が表示される。この表示状態では、「無し、小（前後）、中（前後）、大（前後）、特殊（前後）、小（後）、中（後）、大（後）、特殊（後）」等の面取位置のいずれかの色が反転表示されている。この反転表示された内容が面取位置であり、ファンクション表示部Ｈ４に表示される。図７では、「小（前後）」が面取位置として表示されている。
【００７３】
この面取位置のための反転表示は、ファンクションキーＦ４を押す毎に「無し」、「小（前後）」、「中（前後）」、「大（前後）」、「特殊（前後）」、「小（後）」、「中（後）」、「大（後）」、「特殊（後）」等に対して順に実行される。
【００７４】
このファンクションキーＦ４で「特殊（前後）」を選択すると、図８に示すように、ファンクション表示部Ｈ４に「特殊（前後）」と反転表示され、特殊面取のコースに移行する。なお、「特殊（後）」を選択した場合にも特殊面取のコースに移行する。また、玉型形状ＬＲ、ＬＬに面取加工後の面取軌跡３１Ｒ、３１Ｌが表示される。この場合、眼鏡レンズのコバ端の耳側、鼻側の面取りは例えば、２．０ｍｍの面取り幅、８０％の面取り範囲等の標準値で面取軌跡が表示される。
【００７５】
尚、「小（前後）」、「中（前後）」、「大（前後）」は、通常の面取加工での面取幅の大きさ（小、中、大）と、眼鏡レンズＭＬのコバ端の面取りする箇所（前側、後側）を意味する。「小（後）」、「中（後）」、「大（後）」も同様で、通常の面取加工での面取幅の大きさ（小、中、大）と、眼鏡レンズＭＬのコバ端の面取りする箇所（後側）を意味する。そして、「特殊（前後）」では、眼鏡レンズＭＬの前側及び後側屈折面のコバ端における面取加工のうち、眼鏡フレームの耳掛け（テンプル）側に位置する眼鏡レンズ位置（以下、耳側と略記する。）あるいは鼻当て（パッド）側に位置する眼鏡レンズ位置（以下、鼻側と略記する。）における面取加工を意味する。また、「特殊（後）」では、眼鏡レンズＭＬの前側屈折面のコバ端における面取は無し、後側屈折面のコバ端における面取加工のうち、耳側あるいは鼻側における面取加工を意味する。
(ii)レイアウト画面上での玉型形状の変更操作
演算制御回路４０により表示制御される液晶表示器８のレイアウト画面上での玉型形状の形状変更パターンは以下の（１）〜（６）の６パターンがある。
【００７６】
（１）拡大縮小（横幅入力）
（２）拡大縮小（縦幅入力）
（３）上側のみ変更（縦幅入力）
（４）下側のみ変更（縦幅入力）
（５）内側のみ変更（横幅入力）
（６）外側のみ変更（横幅入力）
この６４パターンの玉型形状の形状変更表示は、以下に説明するようにして演算制御回路４０により実行される。
【００７７】
また、（１）〜（６）の形状変更パターンでは、ボクシング中心基準［図１１，図１４に示したボックス（方形枠）ＢＲ，ＢＬの中心ＢＯＲ，ＢＯＬ（図１４参照）を基準とする。］の座標系の縦幅及び横幅を数値入力指定して変更するものとする。尚、画面レイアウトはコバ幅測定前のレイアウト画面で行なう。
【００７８】
ところで、図６のレイアウト画面において、表示エリアＥ２の「ＦＰＤ」，「ＰＤ」，「ＵＰ」，「ＳＩＺＥ］等のレイアウトデータ入力後、図３（Ｂ）のカーソル式ポインタ移動用の『▽』スイッチ７ｅを１回又は数回短い時間で操作すると（押すと）、演算制御回路４０は図９に示したように色が反転又は他と異なるカーソルＰを「サイズ」に移動させる。
【００７９】
そして、この「サイズ」の位置で『▽』スイッチ７ｅを長押しして（例えば、３秒以上押して）、『▽』スイッチ７ｅから指を離すと、演算制御回路４０は図１０に示したようなパターンデザイナー用のデータ入力ウィンドウＷＤを液晶表示器８の画面にの表示エリアＥ２に表示させ、このパターンデザイナー用のデータ入力ウィンドウＷＤ内「鼻側」，「耳側」，「上側」，「下側」等の数値入力の為の項目を表示させる。この際、表示エリアＥ３の「サイズ」にあったカーソルＰが演算制御回路４０により表示エリアＥ２の「鼻側」に移動させられる。
【００８０】
尚、「サイズ」の位置で『▽』スイッチ７ｅを長押しせずに通常のように押すと、カーソルＰは演算制御回路４０により「ＦＰＤ」に移動させられる。ここで、「ＦＰＤ」の位置に変えて鼻幅（Ｄｉｓｔａｎｃｅ ｂｅｔｗｅｅｎ ｌｅｎｓｅｓ）「ＤＢＬ」が表示されている場合には、カーソルＰが演算制御回路４０により「ＤＢＬ」に移動させられる。また、「吸着位置」が選択可能な時は、カーソルＰが演算制御回路４０により表示エリアＥ３の「吸着位置」へ移動させられる。
【００８１】
この後、『−＋』スイッチ７ｄ（別々に設けられる『＋』、『−』スイッチでもよい）で「鼻側」の右側に変更する値の数値を入力する。また、「鼻側」の数値入力が終了した後、『▽』スイッチ７ｅを通常に押してカーソルＰを「耳側」，「上側」，「下側」等に順次移動させて、「耳側」，「上側」，「下側」等の右側に変更する値の数値を『−＋』スイッチ７ｄで入力する。
【００８２】
ここで、演算制御回路４０は次のような条件で液晶表示器８のパターンデザイナー用のデータ入力ウィンドウＷＤへの数値表示を制御する。即ち、
・「鼻側」，「耳側」，「上側」，「下側」等の右側に表示される数値の初期値  はゼロとする。
・「鼻側」，「耳側」，「上側」，「下側」等の右側に入力される数値の変更単位は０．０５ｍｍ、変更範囲は±６．０ｍｍとする。
・「加工眼」は「左右共通」のみとし変更は出来ない。ここで、加工眼は加工眼鏡レンズを意味する。
・カーソルＰが「鼻側」の位置ある時、『−＋』スイッチ７ｄ（別々に設けられる『＋』、『−』スイッチでもよい）で「鼻側」の右側の数値を変更すると、「耳側」の右側の数値も同時に同じ値に変更される。カーソルＰが「上側」の位置にある時は、「上側」の右側の数値を入力又は変更すると、「下側」の右側の数値も同時に同じ値に変更される。
・「耳側」と「下側」の右側の数値は単独で変更することもできる。
・「鼻側」，「耳側」，「上側」，「下側」の右側の何れかに数値が設定されていれば、カーソルＰが表示エリアＥ３のレイアウトデータ領域（「ＦＰＤ（ＤＢＬ）」または「吸着位置」）に移動しても、パターンデザイナー用のデータ入力ウィンドウは表示されている。すべての設定値が「０．００」である時は、消去される。
・「鼻側」，「耳側」，「上側」，「下側」の右側の何れかに数値が設定されていれば、液晶表示器８の表示エリアＥ４のフレーム像表示ビューのバックグラウンド色が「白」に変化する。尚、「レイアウト」，「加工中」，「加工済」どのタブを選択したときでも、同様に液晶表示器８の表示エリアＥ４のフレーム像表示ビューのバックグラウンド色（背景色）が「白」に変化する。このとき、元のフレーム形状は「黒の点線」に、変形後のフレーム形状は「明るい赤の実線」で表示される。また、変形後のボックス補助線が「明るい青の実線」で表示される。
・「鼻側」，「耳側」，「上側」，「下側」等の右側の設定値（数値）をすべて「０．００」に戻すと、液晶表示器８の表示エリアＥ４のフレーム像表示ビューのバックグラウンド色は元の色に戻る。このとき、元のフレーム形状は「黒の実線」に戻り、変形後の形状とボックス補助線は消去される。
・サイズ変更との併用も可能とする。
・ＤＢＬ入力や、下からの高さ入力がある場合は、形状変更で変わらないように  する。
【００８３】
そして、上述のように「鼻側」，「耳側」，「上側」，「下側」等に変更する数値が入力されると、図１１に示したようにレンズ形状（玉型形状）ＬＲ，ＬＬの形状が実線から破線のように又は破線から実線のように変更（変形）表示される。この表示も演算制御回路４０により実行される。
【００８４】
パターンデザイナーの特長は、「ナイロールの累進帯を少し長くしたいので、少しだけ下側を膨らませたい。」、「顔幅が広いので、２ポフレームの耳側だけ少し伸ばしたい。」などを実行したいときに、特別な機械を必要とせず、レンズ研削加工装置のカラー液晶ディスプレイ上で、形をデザインできることにある。
【００８５】
尚、上述したようにカーソルＰは、図１１の液晶表示器８の画面の表示エリアＥ２の「パターンデザイナー入力ウィンドウ」の項目内で順送りされる。即ち、カーソルＰは、『▽』スイッチ７ｅを通常のように短い時間で押す毎に「鼻側」→「耳側」→「上側」→「下側」→「鼻側」→ 等の順に移動する。
【００８６】
また、図６，図９に示したような通常の「レイアウトデータ入力ウィンドウ」に戻るには、「鼻側」、「耳側」、「上側」或は「下側」何れかの項目にカーソルＰがある状態で、『▽』スイッチ７ｅを長押し（３秒以上）する。この制御も演算制御回路４０により実行される。
【００８７】
図１０のように「パターンデザイナー入力ウィンドウ」の表示エリアＥ２のすべての項目、即ち「鼻側」，「耳側」，「上側」，「下側」等の項目の右側の数値が「０．００」であるときに、カーソルＰを表示エリアＥ３の「レイアウトデータ入力ウィンドウ」の「ＦＰＤ」，「ＰＤ」，「ＵＰ」，「サイズ」等に移動すると、演算制御回路４０は図１０の表示エリアＥ２の「パターンデザイナー入力ウィンドウ」の表示が消えて図９のようにする。尚、「パターンデザイナー入力ウィンドウ」の変更最小単位は“０．０５”、変更範囲は上述したように“±６．００”となる。
（表示例１）
また、ナイロールフレームにおけるパターンデザインを行う場合、図１１Ａに示した入力ウインドウＩｗを図１１の表示エリアＥ２に表示させると共に、図１１Ｂに示した方形状のボクシング枠Ｂｆと玉型形状Ｍｓ（破線で図示）を重ねて図１１の状態表示エリアＥ４に表示させるようにすることもできる。
【００８８】
ここで、入力ウインドウＩｗには、鼻側，耳側，上側，下側、最遠部の表示とその数値入力枠ｆ１〜ｆ５が表示される。また、ボクシング枠Ｂｆの中心をレイアウト中心（幾何学中心）Ｏｂとし、このレイアウト中心Ｏｂを通る縦線（垂直線）をＬｖとし横線（水平線）をＬｈととし、この縦線Ｌｖ及び横線Ｌｈで９０°づつ区画される４つのエリアをＡ１〜Ａ４とする。尚、エリアＡ１，Ａ２は上側に位置し、エリアＡ３，Ａ４は下側に位置する。
【００８９】
しかも、ボクシング枠Ｂｆの下部側（横線Ｌｈの下方側）であって、ボクシング枠Ｂｆのレイアウト中心（幾何学中心）Ｏｂからの動径が最も遠い点に小方形状のカーソルマークＣmを重ねて表示させる。図１１Ｂでは、エリアＡ３内にカーソルマークＣmが表示されている。更に、この表示に際して、レイアウト中心（幾何学中心）ＯｂとカーソルマークＣmの中心を通る直線Ｌｘも表示させる。
【００９０】
この状態で、図３（ｂ）の『−＋』スイッチ７ｄを操作する（押す）ことにより、カーソルマークＣmは直線Ｌｘ上を矢印Ｂ３で示したようにレイアウト中心Ｏｂに対して進退移動する。このカーソルマークＣmの移動に伴い、玉型形状ＭｓはエリアＡ３内の部分が実線で示したように変形させられる。尚、図１１Ｂでは玉型形状Ｍｓが小さくなる方向に変形させている。
（表示例２）
また、図１１Ｂの玉型形状Ｍｓに図１１Ｃに示したようなリム形状Ｒｍを重ねて表示させて、表示例１と同様な操作により、玉型形状Ｍｓを変形操作することもできる。この図１１Ｃに示したリム形状Ｒｍは横線Ｌｈ（横中心線）よりも下方まで延設された端部Ｂ１，Ｂ２を有する。
【００９１】
このようなリム形状Ｒｍを有する場合において、破線で示した玉型形状Ｍｓを外側に実線で示したように変形させた場合、変形後の実線で示した玉型形状Ｍｓがリム形状Ｒｍに合わなくなる。
【００９２】
この場合には、実際の眼鏡レンズと眼鏡フレームのリムの形状が合わなくなるので、この状態のリムに眼鏡レンズを取り付けた場合、リムが破損する虞がある。
【００９３】
従って、このような場合には、以下の２つの指定方法により、変形後の実線で示した玉型形状Ｍｓがリム形状Ｒｍに合うようにすることができる。
(i)指定方法１
この指定方法１では、基準線となる横線Ｌｈ（横中心線）を図１１Ｄに矢印Ｂ４で示したように一点鎖線から二点鎖線まで、即ち基準線となる横線Ｌｈ（横中心線）を形状Ｒｍの端部Ｂ１，Ｂ２の下端まで移動させることにより、リム形状Ｒｍの部分ではリム形状Ｒｍと玉型形状Ｍｓが一致するようにする。
【００９４】
この際、図１１の表示エリアＥ２には、図１１Ｅに示したような入力ウインドウＩｗが表示される。この入力ウインドウＩｗには、基準設定，鼻側，耳側，上側，下側の表示とその数値入力枠ｆ０〜ｆ４が表示される。
【００９５】
尚、この表示例２では、基準線となる横線Ｌｈ（横中心線）を移動させるようにしたが、必ずしもこれに限定されるものではない。例えば、初期設定あるいは他のスイッチ設定を行うことで、垂直線の移動を選択するようにしてもよい。一般的にナイロールフレームにおいて垂直線の移動はあまりないと考えられるので必要はないかとも思われるが、ツーポイントフレームのような場合には垂直線を移動して変形させることも考えられる。
(ii)指定方法２
また、図１１の表示エリアＥ２に図１１Ｆに示したような入力ウインドウＩｗを表示させると共に、図１１の状態表示エリアＥ３に図１１Ｇの表示をさせるようにしても良い。
【００９６】
この際、入力ウインドウＩｗには、基準設定の表示に対応させて左右の基準点マークＬｍ，Ｒｍと、鼻側，耳側，上側，下側の表示とその数値入力枠ｆ１〜ｆ４を表示させる。
【００９７】
一方、入力ウインドウＩｗの基準設定（基準点マークＬｍ，Ｒｍ）に対応させて、図１１Ｄのリム形状Ｒｍの端部Ｂ１，Ｂ２下端に図１１Ｇの如く基準点マークＬｍ，Ｒｍを重ねて表示させ、玉型形状Ｍｓの変形操作は基準点マークＬｍ，Ｒｍより下方の部分のみで実行させるようにする。この場合の変形操作も表示例１と同様にして行われる。
【００９８】
また、上述した入力に伴う玉型形状の変更の為の制御回路４０による演算は、以下に説明する演算式で実行される。図１４〜図１５は、この演算の為の模式図を示したものである。図１４は一般的な形状をしたフレームで内側（鼻側）と外側（耳側）のサイズを拡大変更した場合で、図１５は特殊な形状をしたフレームで外側（耳側）のサイズのみを拡大変更した例である。
【００９９】
ここで、図１４，図１５の模式図において、 内側（鼻側）変更サイズ，外側（耳側）変更サイズ，上側変更サイズ，下側変更サイズ，変更前の座標，変更後の座標，ボックスの接点ポイントＸｍａｘ，Ｙｍａｘ，Ｘｍｉｎ，Ｙｍｉｎ等は、
内側（鼻側）変更サイズ：ΔＸ＿ｉｎ
外側（耳側）変更サイズ：ΔＸ＿ｏｕｔ
上側変更サイズ      ：ΔＹ＿ｕｐ
下側変更サイズ      ：ΔＹ＿ｄｏｗｎ
変更前の座標：（Ｘｉ, Ｙｉ）
変更後の座標：（Ｘｉ’, Ｙｉ’）
ボックスの接点ポイント：
Ｘｍａｘ＝（Ｘｍａｘ＿Ｘ，Ｘｍａｘ＿Ｙ），
Ｙｍａｘ＝（Ｙｍａｘ＿Ｘ，Ｙｍａｘ＿Ｙ），
Ｘｍｉｎ＝（Ｘｍｉｎ＿Ｘ，Ｘｍｉｎ＿Ｙ），
Ｙｍｉｎ＝（Ｙｍｉｎ＿Ｘ，Ｙｍｉｎ＿Ｙ）
として示してある。そして、演算制御回路４０は、以下に示すＢＯＸの接点区間毎（４区間）に分けた（１）〜（４）の演算式に基づいて、レンズ形状（玉型形状）ＬＲの変更前の形状ＬＲｂ（ＬＬｂ）から変更後の形状ＬＲａ（ＬＬa）を求める。
（１）ｉ＝Ｘｍａｘ〜Ｙｍａｘ
Ｘ座標
右枠 ：Ｘｉ’＝[ １＋（ΔＸ＿ｉｎ／（Ｘｍａｘ＿Ｘ−Ｙｍａｘ＿Ｘ））]×（Ｘ
ｉ−Ｙｍａｘ＿Ｘ）+Ｙｍａｘ＿Ｘ
左枠 ：Ｘｉ’＝[１＋（ΔＸ＿ｏｕｔ／（Ｘｍａｘ＿Ｘ−Ｙｍａｘ＿Ｘ））]×（Ｘ
ｉ−Ｙｍａｘ＿Ｘ）＋Ｙｍａｘ＿Ｘ
Ｙ座標
Ｙｉ’＝[１＋（ΔＹ＿ｕｐ／（Ｙｍａｘ＿Ｙ−Ｘｍａｘ＿Ｙ））]×（Ｘｉ−Ｘｍａ
ｘ＿Ｙ）＋Ｘｍａｘ＿Ｙ
（２）ｉ＝Ｙｍａｘ〜Ｘｍｉｎ
Ｘ座標
右枠 ：Ｘｉ’＝[１＋（ΔＸ＿ｏｕｔ／（Ｘｍｉｎ＿Ｘ−Ｙｍａｘ＿Ｘ））]×（Ｘ
ｉ−Ｙｍａｘ＿Ｘ）＋Ｙｍａｘ＿Ｘ
左枠 ：Ｘｉ’＝[１+（ΔＸ＿ｉｎ／（Ｘｍｉｎ＿Ｘ−Ｙｍａｘ＿Ｘ））]×（Ｘｉ
−Ｙｍａｘ＿Ｘ）＋Ｙｍａｘ＿Ｘ
Ｙ座標
Ｙｉ’＝[１+（ΔＹ＿ｕｐ／（Ｙｍａｘ＿Ｙ−Ｘｍｉｎ＿Ｙ））]×（Ｘｉ−Ｘｍｉ
ｎ＿Ｙ）+Ｘｍｉｎ＿Ｙ
（３）ｉ＝Ｘｍｉｎ〜Ｙｍｉｎ
Ｘ座標
右枠  ：Ｘｉ’＝[ １+（ΔＸ＿ｏｕｔ／（Ｘｍｉｎ＿Ｘ−Ｙｍｉｎ＿Ｘ））]×（
Ｘｉ−Ｙｍｉｎ＿Ｘ）+Ｙｍｉｎ＿Ｘ
左枠  ：Ｘｉ’＝[１+（ΔＸ＿ｉｎ／（Ｘｍｉｎ＿Ｘ−Ｙｍｉｎ＿Ｘ））]×（Ｘ
ｉ−Ｙｍｉｎ＿Ｘ）+Ｙｍｉｎ＿Ｘ
Ｙ座標
Ｙｉ’＝[１+（ΔＹ＿ｄｏｗｎ／（Ｙｍｉｎ＿Ｙ−Ｘｍｉｎ＿Ｙ））]×（Ｘｉ−Ｘ
ｍｉｎ＿Ｙ）+Ｘｍｉｎ＿Ｙ
（４）ｉ＝Ｙｍｉｎ〜Ｘｍａｘ
Ｘ座標
右枠 ：Ｘｉ’＝[１+（ΔＸ＿ｉｎ／（Ｘｍａｘ＿Ｘ−Ｙｍｉｎ＿Ｘ））]×（Ｘｉ−Ｙｍｉｎ＿Ｘ）+Ｙｍｉｎ＿Ｘ
左枠 ：Ｘｉ’＝[１+（ΔＸ＿ｏｕｔ／（Ｘｍａｘ＿Ｘ−Ｙｍｉｎ＿Ｘ））]×（Ｘ
ｉ−Ｙｍｉｎ＿Ｘ）+Ｙｍｉｎ＿Ｘ
Ｙ座標
Ｙｉ’＝[１+（ΔＹ＿ｄｏｗｎ／（Ｙｍｉｎ＿Ｙ−Ｘｍａｘ＿Ｙ））]×（Ｘｉ−Ｘｍ
ａｘ＿Ｙ）+Ｙｍａｘ＿Ｙ
尚、図１４のＢＯＸ（ボックス）の接点４点［Ｐ１Ｒ〜Ｐ４Ｒ（Ｐ１Ｌ〜Ｐ４Ｌについても同じ）］は、独立した４点となっていることが演算上望ましいが、３点以上が同一ポイントとなる場合、直線または１つの点となってしまうのでエラー処理をする。
【０１００】
また、４点［Ｐ１Ｒ〜Ｐ４Ｒ（Ｐ１Ｌ〜Ｐ４Ｌについても同じ）］の順番はＸｍａｘ＜Ｙｍａｘ＜Ｘｍｉｎ＜Ｙｍｉｎとなるが、Ｘｍａｘポイントが原点ゼロを挟んで、下側にある時は、Ｙｍａｘ＜Ｘｍｉｎ＜Ｙｍｉｎ＜Ｘｍａｘとなることに注意して区間分けする
。
（iii）レンズ研削加工
このようにして玉型形状を変更操作した後、玉型形状の玉型形状情報（θｉ，ρｉ）に対応する眼鏡レンズＭＬのコバ厚Ｗｉを測定する。この測定は、構成の説明で説明したように、演算制御回路４０によりコバ厚測定装置（コバ厚測定手段）のパルスモータ等の駆動手段を作動制御して実行する。
【０１０１】
次に、演算制御回路４０により液晶表示器８にヤゲンシミュレーションの画面（図示せず）を表示させて、玉型形状情報（θｉ，ρｉ）のヤゲンシミュレーションを実行させる。
【０１０２】
尚、ヤゲンのシミュレーション操作をしない場合には『オート』を選択することで、ヤゲン加工の面取加工の動作に移行する。但し、加工中の表示は、シミュレーション画面となる。
【０１０３】
そして、レンズ加工を実行させる場合には、再度『左』スイッチ６ｂを押してスタートさせる。
【０１０４】
これによって演算制御回路４０は、駆動モータ４７ｄを作動制御することにより研削砥石１１を回転駆動させる一方、レンズ回転軸９、１０と砥石回転軸１２との軸間距離が角度θｉ毎に（砥石半径＋動径ρｉ）となるように、駆動モータ４７ａをレンズ形状情報（θｉ，ρｉ）に基づいて正転又は逆転させることにより、図示しないキャリッジを上下動させて、キャリッジの前端部を角度θｉ毎に上下動させて、キャリッジの前端部を角度θｉ毎に上下回動させてレンズ回転軸９、１０及び眼鏡レンズＭＬを上下動させる。これにより、眼鏡レンズＭＬが研削砥石１１でレンズ形状情報（θｉ，ρｉ）に粗研削加工される。
【０１０５】
その後、レイアウト時にファンクションキーＦ４の操作で『面取』を『なし』以外に設定した場合、面取軌跡におけるレンズ形状測定を実行する。
【０１０６】
また、演算制御回路４０は、上述と同様に各駆動モータ４７ａ、４７ｄをレンズ形状情報（θｉ，ρｉ）に基づいて作動制御して、レンズ形状（玉型形状）ＬＬ、ＬＲに粗研削された眼鏡レンズＭＬの周縁のコバ端部に研削砥石１１のヤゲン砥石１１ｂによりヤゲン山部を研削加工する。
【０１０７】
この際、演算制御回路４０は、予め設定されたヤゲン位置データに基づいてキャリッジを左右に駆動する駆動モータ４７ｂを制御することにより、玉型形状に粗加工された眼鏡レンズＭＬのコバ端にヤゲン加工を施す。平面加工ではヤゲン位置データとしてレンズ前面のコバ位置データを用いる。このヤゲン位置データ（又は前面コバ位置データ）は、眼鏡レンズＭＬのコバ厚を測定する際に得られる眼鏡レンズＭＬの前側屈折面ｆａ又は後側屈折面ｆｂのレンズ形状情報（θｉ，ρｉ）に対応する位置の測定軸１９ｃの軸線方向への屈折面位置データから求められる（図１４参照）。例えば、レンズ形状情報（θｉ，ρｉ）に基づく前側屈折面ｆａ又は後側屈折面ｆｂの屈折面位置データから所定位置コバ厚方向に位置する部分の位置データがヤゲン位置データとなる。このようなヤゲン加工位置データは、周知の方法で求めることができる。
【０１０８】
以上説明したように、この発明の実施の形態の眼鏡フレームの玉型形状表示装置は、眼鏡フレームの玉型形状を入力する形状入力手段[フレーム形状測定装置（玉型形状測定装置）１]と、入力された玉型形状を表示する表示手段（液晶表示器８）とを有する。しかも、玉型形状表示装置は、玉型形状の少なくとも鼻当て側、耳掛け側の方向において数値入力により玉型変形させる玉型形状変形手段（『−＋』スイッチ７ｄ、演算制御回路４０等）を有する。
【０１０９】
この構成によれば、眼鏡レンズを加工する作業者にとってわかりやすく取り扱いやすいように、数値入力により簡単に玉型形状を変形させることができる。この結果、初心者にとって誤ってレンズ枠（玉型形状）を変形させてしまうことを未然に防ぐことができる。
【０１１０】
また、この発明の実施の形態の眼鏡フレームの玉型形状表示装置は、変形させる前の玉型形状と、変形させた後の玉型形状とを同一画面に表示する表示手段（液晶表示器８）を備えている。
【０１１１】
この構成によれば、変更前と変更後の玉型形状を同時に表示手段に表示させているので、眼鏡レンズを加工する作業者にとって玉型形状の変更前後の形状がわかりやすい。この結果、初心者にとって誤ってレンズ枠（玉型形状）を変形させてしまうことを未然に防ぐことができる。
【０１１２】
更に、この発明の実施の形態の眼鏡フレームの玉型形状表示装置は、前記形状変形手段（『−＋』スイッチ７ｄ、演算制御回路４０等）は、眼鏡フレームの玉型形状の幾何学中心点を中心とした点対称な玉型形状の箇所を変形させるように構成している。
【０１１３】
この構成によれば、玉型形状に変形させる演算のための数値を入力したときに、玉型形状は幾何学中心点を中心とした点対称な箇所が変形するので、玉型形状の変形表示を簡易に実行できる。
【０１１４】
また、この発明の実施の形態の眼鏡フレームの玉型形状表示装置は、前記表示手段（液晶表示器８）は、眼鏡フレームの左右両方の玉型形状の変形前の形状と変形後の形状を同一画面に表示するようにしている。
【０１１５】
この構成によれば、変更前と変更後の左右の玉型形状を同時に表示手段に表示させているので、眼鏡レンズを加工する作業者にとって左右の玉型形状の変更前後の形状がわかりやすい。
【図面の簡単な説明】
【０１１６】
【図１】本発明の実施の形態に係るレイアウト表示装置を備えるレンズ研削加工装置とフレーム形状測定装置との関係を示す説明図である。
【図２】本発明の実施の形態に係るレンズ研削加工装置を示し、加工室内の加工主要部の斜視図である。
【図３】本発明の実施の形態に係るレンズ研削加工装置を示し、（Ａ）は第１の操作パネルの拡大説明図、（Ｂ）は液晶表示器の正面図である。
【図４】本発明の実施の形態に係るレンズ研削加工装置の制御回路の説明図である。
【図５】制御回路の制御を説明するためのタイムチャートである。
【図６】図３の液晶表示器の通常のレイアウト画面の表示例を示す説明図である。
【図７】図６の液晶表示器に表示されたポップアップメニューを示す説明図である。
【図８】図７に示すポップアップメニューにおいて「特殊（前後）」を選択した状態を示す図である。
【図９】図６の液晶表示器の通常のレイアウト画面における表示変更操作の例を示す説明図である。
【図１０】図９の液晶表示器の通常のレイアウト画面における表示変更操作の後のパターンデザイナーウインドウの表示例を示す説明図である。
【図１１】図１０の液晶表示器のレイアウト画面におけるパターンデザイナーウインドウへの数値入力の一表示例を示す説明図である。
【図１１Ａ】図１１のレイアウト画面におけるパターンデザイナーウインドウへの数値入力の他の表示例を示す説明図である。
【図１１Ｂ】図１１のレイアウト画面における表示変更操作の後のパターンデザイナーウインドウの表示例を示す説明図である。
【図１１Ｃ】図１１のレイアウト画面における表示変更操作の後のパターンデザイナーウインドウの表示例を示す説明図である。
【図１１Ｄ】図１１のレイアウト画面におけるパターンデザイナーウインドウへの数値入力の他の表示例を示す説明図である。
【図１１Ｅ】図１１のレイアウト画面における表示変更操作の後のパターンデザイナーウインドウの表示例を示す説明図である。
【図１１Ｆ】図１１のレイアウト画面におけるパターンデザイナーウインドウへの数値入力の他の表示例を示す説明図である。
【図１１Ｇ】図１１のレイアウト画面における表示変更操作の後のパターンデザイナーウインドウの表示例を示す説明図である。
【図１２】図１０の液晶表示器のレイアウト画面におけるパターンデザイナーウインドウへの数値入力の他の表示例を示す説明図である。
【図１３】図１０の液晶表示器のレイアウト画面におけるパターンデザイナーウインドウからカーソルが他の表示エリアに移動したときの表示例を示す説明図である。
【図１４】図１０〜図１２数値入力による玉型形状の演算による形状変化を説明するための模式図である。
【図１５】図１０〜図１２数値入力による玉型形状の演算による形状変化を説明するための他の模式図である。
【符号の説明】
【０１１７】
１…フレーム形状測定装置（形状入力手段）
７ｄ…『−＋』スイッチ（玉型形状変形手段の一部）
８…液晶表示器（表示手段）
４０…演算制御回路（玉型形状変形手段の一部）
【図１】
2006243702.tif 000003
【図２】
2006243702.tif 000004
【図３】
2006243702.tif 000005
【図４】
2006243702.tif 000006
【図５】
2006243702.tif 000007
【図６】
2006243702.tif 000008
【図７】
2006243702.tif 000009
【図８】
2006243702.tif 000010
【図９】
2006243702.tif 000011
【図１０】
2006243702.tif 000012
【図１１】
2006243702.tif 000013
【図１１Ａ】
2006243702.tif 000014
【図１１Ｂ】
2006243702.tif 000015
【図１１Ｃ】
2006243702.tif 000016
【図１１Ｄ】
2006243702.tif 000017
【図１１Ｅ】
2006243702.tif 000018
【図１１Ｆ】
2006243702.tif 000019
【図１１Ｇ】
2006243702.tif 000020
【図１２】
2006243702.tif 000021
【図１３】
2006243702.tif 000022
【図１４】
2006243702.tif 000023
【図１５】
2006243702.tif 000024